(57)【要約】【課題】データ補間を行なわず、または最小化することで、ピクセルの実際データでイメージデータを生成することによって、改善された画質のイメージを獲得するためのイメージデータプロセス方法が提供される。【解決手段】イメージデータプロセス方法は、 ピクセルアレイからピクセルデータを獲得するステップと、該ピクセルデータを再配列してイメージデータを生成するステップとを含む。ここで、解像度の調整のために前記生成されたイメージデータをスケーリングするステップを更に含むことができる。【選択図】 図４
2010130686.tif 000002
【特許請求の範囲】
【請求項１】
ピクセルアレイからピクセルデータを獲得するデータ獲得ステップと、
該ピクセルデータを再配列してイメージデータを生成するイメージデータ生成ステップと、
を含むことを特徴とするイメージデータプロセス方法。
【請求項２】
解像度の調整のために前記イメージデータ生成ステップで生成されたイメージデータをスケーリングするスケーリングステップを更に含むことを特徴とする請求項１に記載のイメージデータプロセス方法。
【請求項３】
前記イメージデータ生成ステップは、
前記ピクセルデータの中から、同じカラーに対応するピクセルデータのみで再配列された複数のイメージレイヤーデータを生成するレイヤーデータ生成ステップと、
該複数のイメージレイヤーデータをマージ（ｍｅｒｇｅ）するマージステップと、
を含むことを特徴とする請求項１または２に記載のイメージデータプロセス方法。
【請求項４】
前記レイヤーデータ生成ステップでは、補間せずにピクセルの実際データのみを再配列して前記イメージレイヤーデータを生成することを特徴とする請求項３に記載のイメージデータプロセス方法。
【請求項５】
前記レイヤーデータ生成ステップは、
同じカラーに対応するピクセルデータの中、一部のみをサンプリングするサンプリングステップと、
該サンプリングされたデータを再配列する再配列ステップと、
を含むことを特徴とする請求項３に記載のイメージデータプロセス方法。
【請求項６】
前記イメージレイヤーデータは、前記ピクセルアレイの全体ピクセルの個数に対比して縮小したピクセル個数に対応するデータであることを特徴とする請求項３に記載のイメージデータプロセス方法。
【請求項７】
前記イメージレイヤーデータは、前記ピクセルアレイの全体ピクセルの個数に対比して１／４に縮小したピクセル個数に対応するデータであることを特徴とする請求項５に記載のイメージデータプロセス方法。
【請求項８】
前記データ獲得ステップは、前記ピクセルアレイから出力されたアナログ信号をデジタル信号に変換する変換ステップを含むことを特徴とする請求項１または２に記載のイメージデータプロセス方法。
【請求項９】
前記ピクセルアレイは、Ｒ（ｒｅｄ）−ピクセル、Ｇ（Ｇｒｅｅｎ）−ピクセル、及びＢ（ｂｌｕｅ）−ピクセルがベイヤパターンで配列されたものであることを特徴とする請求項１または２に記載のイメージデータプロセス方法。
【請求項１０】
前記イメージデータ生成ステップは、
前記Ｒ−ピクセルデータのみを再配列してＲ−イメージレイヤーデータを生成するステップと、
前記Ｂ−ピクセルデータのみを再配列してＢ−イメージレイヤーデータを生成するステップと、
隣接した２つの前記Ｇ−ピクセルに対応するデータ平均値が配列されたＧ−イメージレイヤーデータを生成するステップと、
前記Ｒ−イメージレイヤーデータ、前記Ｂ−イメージレイヤーデータ、及び前記Ｇ−イメージレイヤーデータをマージするステップと、
を含むことを特徴とする請求項９に記載のイメージデータプロセス方法。
【請求項１１】
前記ピクセルアレイは、Ｒ−ピクセル、Ｇ−ピクセル、Ｂ−ピクセル、及びＷ−ピクセルで構成されることを特徴とする請求項１または２に記載のイメージデータプロセス方法。
【請求項１２】
前記イメージデータ生成ステップは、
前記Ｒ−ピクセルデータのみを再配列してＲ−イメージレイヤーデータを生成するステップと、
前記Ｂ−ピクセルデータのみを再配列してＢ−イメージレイヤーデータを生成するステップと、
前記Ｇ−ピクセルデータのみを再配列してＧ−イメージレイヤーデータを生成するステップと、
前記Ｗ−ピクセルデータのみを再配列してＷ−イメージレイヤーデータを生成するステップと、
前記Ｒ−イメージレイヤーデータ、前記Ｂ−イメージレイヤーデータ、前記Ｇ−イメージレイヤーデータ、及び前記Ｗ−イメージレイヤーデータをマージするステップと、
を含むことを特徴とする請求項１０に記載のイメージデータプロセス方法。
【請求項１３】
カラーフィルタアレイを有するピクセルアレイと、
該ピクセルアレイからピクセルデータが入力され、前記ピクセルデータを再配列してイメージデータを生成するデータプロセス手段と、
を含むことを特徴とするイメージセンサ。
【請求項１４】
前記データプロセス手段は、前記ピクセルデータの中から、同じカラーに対応するピクセルデータのみで再配列された複数のイメージレイヤーデータを生成し、前記複数のイメージレイヤーデータをマージして前記イメージデータを生成することを特徴とする請求項１３に記載のイメージセンサ。
【請求項１５】
前記データプロセス手段は、補間せずにピクセルの実際データのみを再配列して前記イメージデータを生成することを特徴とする請求項１３に記載のイメージセンサ。
【請求項１６】
前記データプロセス手段は、同じカラーに対応するピクセルデータの中、一部のみをサンプリングし、前記サンプリングされたデータを再配列して前記イメージデータを生成することを特徴とする請求項１３に記載のイメージセンサ。
【請求項１７】
前記データプロセス手段は、前記ピクセルアレイの全体ピクセルの個数に対比して縮小したピクセル個数に対応する前記イメージデータを生成することを特徴とする請求項１３に記載のイメージセンサ。
【請求項１８】
前記イメージデータは、前記ピクセルアレイの全体ピクセルの個数に対比して１／４縮小したピクセル個数に対応するデータであることを特徴とする請求項１７に記載のイメージセンサ。
【請求項１９】
前記データプロセス手段は、前記ピクセルアレイから出力されたアナログ信号をデジタル信号に変換する変換手段を含むことを特徴とする請求項１３に記載のイメージセンサ。
【請求項２０】
前記ピクセルアレイは、Ｒ−ピクセル、Ｇ−ピクセル、及びＢ−ピクセルがベイヤパターンで配列されたものであることを特徴とする請求項１３に記載のイメージセンサ。
【請求項２１】
前記データプロセス手段は、
前記Ｒ−ピクセルのデータのみが再配列されたＲ−イメージレイヤーデータ、前記Ｂ−ピクセルのデータのみが再配列されたＢ−イメージレイヤーデータ、及び隣接した２つの前記Ｇ−ピクセルに対応するデータ平均値が配列されたＧ−イメージレイヤーデータを各々生成した後、
前記Ｒ−イメージレイヤーデータ、前記Ｂ−イメージレイヤーデータ、及び前記Ｇ−イメージレイヤーデータをマージして前記イメージデータを生成することを特徴とする請求項２０に記載のイメージセンサ。
【請求項２２】
前記ピクセルアレイは、Ｒ−ピクセル、Ｇ−ピクセル、Ｂ−ピクセル、及びＷ−ピクセルで構成されることを特徴とする請求項１３に記載のイメージセンサ。
【請求項２３】
前記データプロセス手段は、
前記Ｒ−ピクセルのデータのみが再配列されたＲ−イメージレイヤーデータ、前記Ｂ−ピクセルのデータのみが再配列されたＢ−イメージレイヤーデータ、前記Ｇ−ピクセルのデータのみが再配列されたＧ−イメージレイヤーデータ、及び前記Ｗ−ピクセルのデータのみが再配列されたＷ−イメージレイヤーデータを各々生成した後、
前記Ｒ−イメージレイヤーデータ、前記Ｂ−イメージレイヤーデータ、前記Ｇ−イメージレイヤーデータ、及び前記Ｗ−イメージレイヤーデータをマージして前記イメージデータを生成することを特徴とする請求項２２に記載のイメージセンサ。
【請求項２４】
前記データプロセス手段は、解像度の調整のために前記イメージデータをスケーリングするスケーリング手段を更に含むことを特徴とする請求項１３ないし２３のいずれか１項に記載のイメージセンサ。
【請求項２５】
請求項１３ないし２３のいずれか１項に記載のイメージセンサのチップと、
該イメージセンサチップから出力された前記イメージデータをスケーリングして解像度を調整するデジタル信号プロセッサと、
を備えることを特徴とする集積回路。
【発明の詳細な説明】
【技術分野】
【０００１】
本発明は、ＣＣＤ（Ｃｈａｒｇｅ  Ｃｏｕｐｌｅｄ  Ｄｅｖｉｃｅ）またはＣＩＳ（ＣＭＯＳ  Ｉｍａｇｅ  Ｓｅｎｓｏｒ）のようなイメージセンシング装置に関し、より詳しくは、カラーイメージデータ信号のプロセスのための方法及び装置に関する。
【背景技術】
【０００２】
通常、ＣＣＤまたはＣＩＳにおいて最大の解像度を獲得するため、ピクセルアレイから出力されたデータをデモザイク（ｄｅｍｏｓａｉｃ）処理してカラー補間（ｉｎｔｅｒｐｏｌａｔｉｏｎ）を行なっている。
【０００３】
図１は、従来技術に係るイメージデータプロセス方法を簡略に示すフローチャートである。同図を参照すると、ピクセルアレイからピクセルデータを獲得するステップＳ１００と、ピクセルデータをデモザイクしてカラー補間を行なうことによってイメージデータを生成するステップＳ１２０と、生成されたイメージデータをスケーリングするステップＳ１４０とを含む。
【０００４】
ピクセルデータを獲得するステップＳ１００は、ピクセルアレイから出力されたＲＧＢの各アナログ信号をデジタル信号に変換するステップＳ１０２を含む。カラー補間によってイメージデータＲＧＢ（Ｍ×Ｎ）を生成するステップＳ１２０は、変換されたデジタル信号が入力されて行われる。スケーリングステップＳ１４０は、解像度の調整のためのものであって、入力データＲＧＢ（Ｍ×Ｎ）をデータＲＧＢ（Ｍ／２×Ｎ／２）にダウンスケーリングして出力する。これと反対に、スケーリングステップは、アップスケーリングによっても行なわれ得る。
【０００５】
図２は、ベイヤパターンのカラーフィルタアレイを示す。同図に示すように、カラム１つ当たりにＭ個及びロー（Ｒｏｗ）１つ当たりにＮ個ずつ、合せてＭ×Ｎ個のピクセルが配列されているとき、各ピクセルに対応してグリーンＧ、ブルーＢ、及びレッドＲのカラーフィルタが配列される。ベイヤパターンは、１つのＲフィルタ、２つのＧフィルタ、１つのＢフィルタが単位パターン２００を構成し、かかる単位パターンが繰り返して配列される。
【０００６】
図３は、従来のカラー補間方法を図式化して示す図である。
【０００７】
同図を参照すると、ベイヤＲＧＢパターン３１０に対応する各ピクセルデータは、同じカラーに対応するピクセルデータのみに分離される。すなわち、ベイヤＲＧＢパターン３１０は、レッドカラーフィルタプラン３２０Ａ、グリーンカラーフィルタプラン３２０Ｂ、ブルーカラーフィルタプラン３２０Ｃに分離される。
【０００８】
続いて、各プランの空いているピクセルにもデータが生成され、周辺の他の信号によりデモザイク処理されてイメージレイヤーデータが生成される。このように生成されたイメージデータに対応するパターンの形状を、図面においてイメージレイヤーパターン３３０Ａ、３３０Ｂ、３３０Ｃのように示した。
【０００９】
続いて、Ｒ−イメージレイヤーパターン３３０Ａ、Ｇ−イメージレイヤーパターン３３０Ｂ、及びＢ−イメージレイヤーパターン３３０Ｃに対応するＲ、Ｇ、Ｂイメージレイヤーデータをマージする。図面ではマージされる過程をパターン３４０のように図式化している。
【００１０】
前述したように、従来においては、ピクセルから出力されるデータから、図３で図式化したカラー補間プロセスを用いて最大の解像度のイメージを獲得している。
【００１１】
しかし、カラー補間は、測定により獲得したデータを用いて仮想のデータを添加する方式であることから、画質低下の原因となる。
【発明の概要】
【発明が解決しようとする課題】
【００１２】
本発明の目的は、データ補間を行なわず、または実行を最小化することで、ピクセルの実際データ（ａｃｔｕａｌ  ｄａｔａ）でイメージデータを生成し、改善された（向上した）画質のイメージを獲得するためのイメージデータプロセス方法を提供することにある。
【００１３】
本発明の他の目的は、提案されたイメージデータプロセスを行うためのイメージセンサ及び集積回路を提供することにある。
【課題を解決するための手段】
【００１４】
上記の目的を達成するための本発明の一側面に係るイメージデータプロセス方法は、ピクセルアレイからピクセルデータを獲得するデータ獲得ステップと、該ピクセルデータを再配列してイメージデータを生成するイメージデータ生成ステップとを含む。ここで、解像度の調整のために前記生成されたイメージデータをスケーリングするステップを更に含むことができる。
【００１５】
好ましくは、前記イメージデータ生成ステップが、前記ピクセルデータの中から、同じカラーに対応するピクセルデータのみで再配列された複数のイメージレイヤーデータを生成するレイヤーデータ生成ステップと、該複数のイメージレイヤーデータをマージ（ｍｅｒｇｅ）するマージステップとを含む。前記レイヤーデータ生成ステップでは、イメージレイヤーデータは、補間を行わずにピクセルの実際データのみを再配列して具現される。好ましくは、前記レイヤーデータ生成ステップが、同じカラーに対応するピクセルデータの中、一部のみをサンプリングするステップと、該サンプリングされたデータを再配列するステップとを含む。好ましくは、イメージレイヤーデータが、前記ピクセルアレイの全体ピクセルの個数に対比して、例えば、１／４のように縮小したピクセル個数に対応するデータである。好ましくは、前記ピクセルデータを獲得するステップが、前記ピクセルアレイから出力されたアナログ信号をデジタル信号に変換するステップを含む。
【００１６】
また、上記の目的を達成するための本発明の一側面に係るイメージセンサは、カラーフィルタアレイを有するピクセルアレイと、該ピクセルアレイからピクセルデータが印加され、前記ピクセルデータを再配列してイメージデータを生成するデータプロセス手段とを含む。ここで、前記データプロセス手段は、解像度の調整のために前記イメージデータをスケーリングする手段を含むことができ、また前記ピクセルアレイから出力されたアナログ信号をデジタル信号に変換する手段を含むことができる。
【００１７】
好ましくは、前記データプロセス手段が、ピクセルデータの中から、同じカラーに対応するピクセルデータのみで再配列された複数のイメージレイヤーデータを生成し、前記複数のイメージレイヤーデータをマージして前記イメージデータを生成する。また、前記データプロセス手段が、補間せずにピクセルの実際データのみを再配列して前記イメージデータを生成する。また、前記データプロセス手段が、同じカラーに対応するピクセルデータの中、一部のみをサンプリングし、前記サンプリングされたデータを再配列して前記イメージデータを生成する。また、前記データプロセス手段が、前記ピクセルアレイの全体ピクセルの個数に対比して、例えば、１／４のように縮小したピクセル個数に対応する前記イメージデータを生成する。
【発明の効果】
【００１８】
前述したように本発明によれば、データ補間を行なわず、または最低限の実行で、ピクセルの実際データでイメージデータを生成することによって、仮想のデータを排除及び最小化して改善された画質のイメージが獲得できる。
【図面の簡単な説明】
【００１９】
【図１】従来技術に係るイメージデータプロセス方法を簡略に示すフローチャートである。
【図２】ベイヤパターンのカラーフィルタアレイを示す図である。
【図３】従来のカラー補間方法を図式化して示す図である。
【図４】本発明の好ましい実施形態に係るイメージデータプロセス方法を簡略に示すフローチャートである。
【図５】ベイヤＲＧＢパターンを使用するピクセルアレイに対するデータの再配列方法を説明するための図である。
【図６】ＲＧＢＷパターンを使用するピクセルアレイに対するデータの再配列方法を説明するための図である。
【図７】本発明の一実施形態に係るイメージセンサの構成図である。
【発明を実施するための形態】
【００２０】
以下、本発明が属する技術分野における通常の知識を有する者が本発明の技術的な思想を容易に実施できる程度で詳説するために、本発明の最も好ましい実施形態を添付の図面を参照して説明する。
【００２１】
図４は、本発明の好ましい実施形態に係るイメージデータプロセス方法を簡略に示すフローチャートである。
【００２２】
同図を参照すると、本実施形態に係るイメージ信号プロセス方法は、ピクセルアレイからピクセルデータを獲得するステップＳ４１０と、ピクセルデータを再配列してイメージデータを生成するステップＳ４３０とを含む。解像度の調整のために生成されたイメージデータをスケーリングするステップＳ４５０を更に含み得る。
【００２３】
ピクセルデータを獲得するステップＳ４１０は、ピクセルアレイから出力されたＲＧＢの各アナログ信号をデジタル信号に変換するステップＳ４１２を含む。ピクセルデータの再配列によってイメージデータＲＧＢ（Ｍ／２×Ｎ／２）を生成するステップＳ４３０は、変換されたデジタル信号が入力されて行われる。スケーリングステップＳ４５０は、解像度の調整のためのもので、入力データＲＧＢ（Ｍ／２×Ｎ／２）をデータＲＧＢ（Ｍ／４×Ｎ／４）にダウンスケーリングして出力する。これとは反対に、スケーリングステップＳ４５０は、例えばＲＧＢ（Ｍ×Ｎ）のようなアップスケーリングにより行なわれ得る。
【００２４】
このように改善されたイメージデータプロセス方法は、デモザイクによるカラー補間を行なわずに（または実行を最小化して）データの再配列を介してイメージデータを生成する。
【００２５】
したがって、仮想のデータを添加する方式を採用せず、または最小化することから、改善された画質のイメージ信号を獲得することができる。
【００２６】
図５は、データの再配列方法を具体的に説明するため図式化した図面であって、データの再配列方法は、前述したイメージデータ生成ステップＳ４３０に該当する。同図を参照して、ベイヤＲＧＢパターンを使用するピクセルアレイに対するデータの再配列方法を説明する。
【００２７】
同図を参照すると、ベイヤＲＧＢパターン５１０に対応する各ピクセルデータは、同じカラーに対応するピクセルデータのみで再配列され、イメージレイヤーデータとして生成される。すなわち、Ｒ−ピクセルデータのみを再配列してＲ−イメージレイヤーデータを生成し、Ｂ−ピクセルデータのみを再配列してＢ−イメージレイヤーデータを生成し、隣接した２つのＧ−ピクセルに対応するデータ平均値の配列されたＧ−イメージレイヤーデータを生成する。このように生成されたイメージデータに対応するパターンの形状を、図面ではＲ−イメージレイヤーパターン５３０Ａ、Ｇ−イメージレイヤーパターン５３０Ｂ、Ｂ−イメージレイヤーパターン５３０Ｃで示す。ベイヤパターンは、１つのＲフィルタ、２つのＧフィルタ、１つのＢフィルタが単位パターンを構成しているため、各イメージレイヤーパターン５３０Ａ、５３０Ｂ、５３０Ｃは、本来のピクセルアレイの全体ピクセルの個数に対比して１／４に縮小したピクセル個数を有する。すなわち、ピクセルデータＲＧＢ（Ｍ×Ｎ）は、イメージレイヤーデータＲＧＢ（Ｍ／２×Ｎ／２）になる。一方、Ｇ−イメージレイヤーパターン５３０Ｂは、単位パターン内の２つのＧピクセル値を補間してイメージレイヤーデータを生成する。このように再配列されたピクセルの位置を、図面においてアラビア数字及びアルファベットで分けて図示した。
【００２８】
続いて、Ｒ−イメージレイヤーパターン５３０Ａ、Ｇ−イメージレイヤーパターン５３０Ｂ、及びＢ−イメージレイヤーパターン５３０Ｃに対応するＲ、Ｇ、Ｂイメージレイヤーデータをマージする。図面ではマージする過程をパターン５４０として図式化している。
【００２９】
前述したように、再配列によるデータプロセスは、Ｒイメージデータ及びＢイメージデータの場合、補間を行なわずに実際データのみを再配列することで具現される。そして、Ｇイメージデータのみをデモザイク処理して生成する。したがって、カラー補間プロセス（処理）が最小化されたイメージデータを獲得することができることから、改善された画質の具現が可能となる。
【００３０】
一方、ピクセルデータを再配列するとき、同じカラーに対応するピクセルデータの中、一部のみをサンプリングし、サンプリングされたデータを再配列してイメージレイヤーデータを生成し得る。すなわち、このとき、ピクセルデータＲＧＢ（Ｍ×Ｎ）は、ＲＧＢ（Ｍ／２×Ｎ／２）よりも小さい解像度のイメージデータとして生成される。しかし、図５で説明したように、再配列により１／２の小さい解像度を獲得するため、敢えてサブサンプリングを必要とせず、必要であれば、その後のスケーリングステップＳ４５０でダウンスケーリングをすればよい。
【００３１】
図６は、Ｒ（Ｒｅｄ）、Ｇ（Ｇｒｅｅｎ）、Ｂ（Ｂｌｕｅ）、Ｗ（Ｗｈｉｔｅ）のカラーフィルタアレイを有する、すなわち、Ｒ−ピクセル、Ｇ−ピクセル、Ｂ−ピクセル、Ｗ−ピクセルから構成されたピクセルアレイから獲得されたピクセルデータを再配列し、イメージデータを生成する具体的な方法について説明する。
【００３２】
同図を参照すると、ＲＧＢＷパターン６２０は、互いに隣接した１つのＲ−ピクセル、１つのＧ−ピクセル、１つのＢ−ピクセル、１つのＷ−ピクセルが単位パターン６２０を構成する。
【００３３】
ＲＧＢＷパターン６１０に対応する各ピクセルデータは、同じカラーに対応するピクセルデータのみで再配列されてイメージレイヤーデータとして生成する。すなわち、Ｒ−ピクセルデータのみを再配列してＲ−イメージレイヤーデータを生成し、Ｂ−ピクセルデータのみを再配列してＢ−イメージレイヤーデータを生成する。また、Ｇ−ピクセルデータのみを再配列してＧ−イメージレイヤーデータを生成し、Ｗ−ピクセルデータのみを再配列してＷ−イメージレイヤーデータを生成する。このように生成されたイメージデータに対応するパターンの形状を、図面では、Ｒ−イメージレイヤーパターン６３０Ａ、Ｇ−イメージレイヤーパターン６３０Ｂ、Ｂ−イメージレイヤーパターン６３０Ｃ、及びＷ−イメージレイヤーパターン６３０Ｄとして示す。
【００３４】
各イメージレイヤーパターン６３０Ａ、６３０Ｂ、６３０Ｃ、６３０Ｄは、本来のピクセルアレイの全体ピクセルの個数に対比して１／４に縮小したピクセルの個数を有する。すなわち、ピクセルデータＲＧＢＷ（Ｍ×Ｎ）は、イメージレイヤーデータＲＧＢＷ（Ｍ／２×Ｎ／２）になる。このように再配列されたピクセルの位置を、図面ではアラビア数字及びアルファベットで分けて図示した。
【００３５】
続いて、Ｒ−イメージレイヤーパターン６３０Ａ、Ｇ−イメージレイヤーパターン６３０Ｂ、Ｂ−イメージレイヤーパターン６３０Ｃ、及びＷ−イメージレイヤーパターン６３０Ｄに対応するＲ、Ｇ、Ｂ、Ｗイメージレイヤーデータをマージする。図面ではマージする過程をパターン６４０として図式化している。
【００３６】
前述したように、本実施形態におけるＲＧＢＷイメージデータは、補間を行なわず純粋に再配列のみによって生成される。したがって、仮想のデータを添加する方式を採用しないため、改善された画質のイメージ信号が獲得できる。
【００３７】
図７は、本発明の好ましい実施形態に係るイメージセンサに対するブロック構成図である。
【００３８】
同図を参照すると、改善されたイメージセンサは、カラーフィルタアレイを有するピクセルアレイと、ピクセルアレイからピクセルデータが印加されてピクセルデータを再配列し、イメージデータを生成するデータプロセス部を備える。
【００３９】
データプロセス部は、ピクセルデータの中から同じカラーに対応するピクセルデータのみで再配列された複数のイメージレイヤーデータを生成した後、複数のイメージレイヤーデータをマージしてイメージデータを生成する。
【００４０】
データプロセス部は、補間を行なわずにピクセルの実際データのみを再配列してイメージデータを生成する。そして、同じカラーに対応するピクセルデータの中、一部のみをサンプリングし、前記サンプリングされたデータを再配列して前記イメージデータを生成することができる。
【００４１】
データプロセス部は、再配列によりピクセルアレイの全体ピクセルの個数に対比し、縮小したピクセル個数に対応するイメージデータを生成する。イメージデータは、ピクセルアレイの全体ピクセルの個数に対比して１／４に縮小したピクセル個数に対応するデータであり得る。
【００４２】
データプロセス部は、ピクセルアレイから出力されたアナログ信号をデジタル信号に変換するＤＡＣ（デジタルアナログコンバータ）を備え得る。
【００４３】
ピクセルアレイは、Ｒ−ピクセル、Ｇ−ピクセル、及びＢ−ピクセルがベイヤパターンで配列されたものであってもよい。このとき、データプロセス部は、Ｒ−ピクセルのデータのみが再配列されたＲ−イメージレイヤーデータと、Ｂ−ピクセルのデータのみ再配列されたＢ−イメージレイヤーデータと、隣接した２つのＧ−ピクセルに対応するデータ平均値が配列されたＧ−イメージレイヤーデータとを各々生成した後、Ｒ−イメージレイヤーデータ、Ｂ−イメージレイヤーデータ、及びＧ−イメージレイヤーデータをマージしてイメージデータを生成する。
【００４４】
また、ピクセルアレイはＲ−ピクセル、Ｇ−ピクセル、Ｂ−ピクセル、及びＷ−ピクセルが配列されたものであってもよい。このとき、データプロセス部は、Ｒ−ピクセルのデータのみが再配列されたＲ−イメージレイヤーデータ、前記Ｂ−ピクセルのデータのみが再配列されたＢ−イメージレイヤーデータ、前記Ｇ−ピクセルのデータのみが再配列されたＧ−イメージレイヤーデータ、及び前記Ｗ−ピクセルのデータのみが再配列されたＷ−イメージレイヤーデータを各々生成した後、Ｒ−イメージレイヤーデータ、Ｂ−イメージレイヤーデータ、Ｇ−イメージレイヤーデータ、及びＷ−イメージレイヤーデータをマージしてイメージデータを生成する。
【００４５】
また、データプロセス部は、解像度の調整のためにイメージデータをスケーリングするスケーリング部を更に備えることができる。このスケーリング部は、イメージセンサチップ内に統合されてもよい。また、これとは異なり、イメージセンサチップとは別途のチップとして製造されるデジタル信号プロセッサにスケーリング手段を備えてもよい。この場合、センサチップとデジタル信号プロセッサとを統合したモジュールとして集積回路を製造してもよい。
【００４６】
以上、説明したように、本発明は、前述した実施形態及び添付の図面により限定されるのでなく、本発明が技術的な思想を逸脱しない範囲内で様々な置換、変形及び変更が可能であることが本発明の属する技術分野における通常の知識を有する者にとって自明なことである。
【図１】
2010130686.tif 000003
【図２】
2010130686.tif 000004
【図３】
2010130686.tif 000005
【図４】
2010130686.tif 000006
【図５】
2010130686.tif 000007
【図６】
2010130686.tif 000008
【図７】
2010130686.tif 000009